(57)【要約】【課題】上部弁体がステムの内周面または押下ヘッドの内面に付着したままとなることを抑制し、上部弁体を確実に着座させることが可能な吐出容器を提供すること。【解決手段】ステム２１の上端部内には、上端部がノズル筒部６５の後端開口部に前後方向で対向し、下端部が上部弁体２４上に配設された上部コイルバネ２５が配設されており、上部コイルバネ２５の上端部と押下ヘッド１６の内面との間には、上下方向の間隙が設けられている。【選択図】図１
2018047934.tif 000002
【特許請求の範囲】
【請求項１】
内容物が収容され、内容物の減少に伴って減容変形する容器本体と、
上方付勢状態で下方移動自在に支持されたステム、及び、前記ステムの上端に装着され、内容物の吐出孔が形成された押下ヘッドを有し、前記容器本体の口部に装着されたポンプと、を備え、
前記押下ヘッドが、前端に前記吐出孔が形成され、前後方向に延びるノズル筒部を有し、
前記ポンプが、
前記ステムの上下動に連係する筒状のピストンと、
内側に前記ピストンが上下摺動自在に嵌合されたシリンダと、
前記シリンダ内に配設され、前記シリンダ内と前記容器本体内との連通及びその遮断を切り替える下部弁体と、
前記ステムの上端部内に配設され、前記シリンダ内と前記吐出孔との連通及びその遮断を切り替える上部弁体と、を有し、
前記押下ヘッドの押下により、前記下部弁体が前記シリンダ内と前記容器本体内との連通を遮断した状態で、前記上部弁体が前記シリンダ内と前記吐出孔とを連通させ、
前記押下ヘッドの押下を解除したときに、前記上部弁体が前記シリンダ内と前記吐出孔との連通を遮断した状態で、前記下部弁体が前記シリンダ内と前記容器本体内とを連通させ、
前記ステムの上端部内には、上端部が前記ノズル筒部の後端開口部に前後方向で対向し、下端部が前記上部弁体上に配設された弾性部材が配設され、
前記弾性部材の上端部と前記押下ヘッドの内面との間または前記弾性部材の下端部と前記上部弁体との間には、上下方向の間隙が設けられていることを特徴とする吐出容器。
【請求項２】
前記弾性部材の上端部と前記押下ヘッドの内面との間には、上下方向の間隙が設けられており、
前記弾性部材が、上下移動自在であることを特徴とする請求項１に記載の吐出容器。
【請求項３】
前記上部弁体が、ボール弁であることを特徴とする請求項１または２に記載の吐出容器。
【請求項４】
前記弾性部材の上端縁が、前記ノズル筒部の後端開口部よりも上方の位置にあることを特徴とする請求項１から３のいずれか１項に記載の吐出容器。
【請求項５】
前記弾性部材が、筒状をなしており、
前記押下ヘッドの頂壁部には、前記弾性部材の内側に進入する案内部が下方に向けて突設されていることを特徴とする請求項１から４のいずれか１項に記載の吐出容器。
【発明の詳細な説明】
【技術分野】
【０００１】
本発明は、吐出容器に関する。
【背景技術】
【０００２】
この種の吐出容器として、内容物が収容された容器本体と、ステム及び押下ヘッドを有し、容器本体の口部に装着されたポンプと、を備え、ポンプが、ステムの上下動に連係するピストンと、内側にピストンが上下摺動自在に嵌合されたシリンダと、シリンダ内に配設された下部弁体と、ステムの上端部内に配設された上部弁体と、を有するものが知られている（例えば、特許文献１参照）。
【先行技術文献】
【特許文献】
【０００３】
【特許文献１】特許第３７１０６１７号公報
【発明の概要】
【発明が解決しようとする課題】
【０００４】
ところで、容器本体が例えばパウチ容器など、内容物の減少に伴って減容変形する場合に、当初容器本体の上端部内に存在していたヘッドスペースとポンプのシリンダ内とが内容物の減少に伴って連通し、ポンプの作動によって内容物と共にヘッドスペース内の空気がステム内に流入することがある。そのため、ポンプの押下を解除しても、上部弁体がステムの内周面に付着したままとなり、下降して着座しないことがある。これにより、上部弁体が逆止弁として正常に機能しなくなり、ポンプの動作不良が引き起こされる。
【０００５】
そこで、本発明は、上部弁体がステムの内周面または押下ヘッドの内面に付着したままとなることを抑制し、上部弁体を確実に着座させることが可能な吐出容器を提供することを目的とする。
【課題を解決するための手段】
【０００６】
本発明は、上記課題を解決するために以下のような手段を採用した。すなわち、本発明の吐出容器は、内容物が収容され、内容物の減少に伴って減容変形する容器本体と、上方付勢状態で下方移動自在に支持されたステム、及び、前記ステムの上端に装着され、内容物の吐出孔が形成された押下ヘッドを有し、前記容器本体の口部に装着されたポンプと、を備え、前記押下ヘッドが、前端に前記吐出孔が形成され、前後方向に延びるノズル筒部を有し、前記ポンプが、前記ステムの上下動に連係する筒状のピストンと、内側に前記ピストンが上下摺動自在に嵌合されたシリンダと、前記シリンダ内に配設され、前記シリンダ内と前記容器本体内との連通及びその遮断を切り替える下部弁体と、前記ステムの上端部内に配設され、前記シリンダ内と前記吐出孔との連通及びその遮断を切り替える上部弁体と、を有し、前記押下ヘッドの押下により、前記下部弁体が前記シリンダ内と前記容器本体内との連通を遮断した状態で、前記上部弁体が前記シリンダ内と前記吐出孔とを連通させ、前記押下ヘッドの押下を解除したときに、前記上部弁体が前記シリンダ内と前記吐出孔との連通を遮断した状態で、前記下部弁体が前記シリンダ内と前記容器本体内とを連通させ、前記ステムの上端部内には、上端部が前記ノズル筒部の後端開口部に前後方向で対向し、下端部が前記上部弁体上に配設された弾性部材が配設され、前記弾性部材の上端部と前記押下ヘッドの内面との間または前記弾性部材の下端部と前記上部弁体との間には、上下方向の間隙が設けられていることを特徴とする。
【０００７】
この発明では、押下ヘッドの押下に伴って上昇した上部弁体が、ステムの内周面または押下ヘッドの内面に付着しようとしても、弾性部材の復元力によって下方に強制的に変位され、着座される。したがって、上部弁体がステムの内周面または押下ヘッドの内面に付着したままとなることを抑制し、上部弁体を確実に着座させることができる。
また、弾性部材の上端部と押下ヘッドの内面との間または弾性部材の下端部と上部弁体との間に上下方向の間隙が設けられているため、押下ヘッドの押下当初において弾性部材の付勢力が上部弁体に作用することがなく、上部弁体が弁座部から上方に離反しにくくなることを防止し、押下ヘッドの押下によってシリンダ内から上昇した内容物によって、上部弁体を弁座部から容易に上方に離反させることができる。したがって、押下ヘッドを押し下げたときに吐出孔を通して内容物をより確実に吐出させることができる。
【０００８】
また、本発明の吐出容器では、前記弾性部材の上端部と前記押下ヘッドの内面との間には、上下方向の間隙が設けられており、前記弾性部材が、上下移動自在であってもよい。
この発明では、弾性部材が上下移動自在であるため、押下ヘッドの押下当初において、弾性部材の付勢力が上部弁体に作用することなく、上部弁体が弁座部から離反する際に上部弁体と共に上昇する。
【０００９】
また、本発明の吐出容器では、前記上部弁体が、ボール弁であってもよい。
この発明では、上部弁体がステムの内周面または押下ヘッドの内面に付着しても、弾性部材の復元力によって上部弁体を確実に下方に変位させることができる。
【００１０】
また、本発明の吐出容器では、前記弾性部材の上端縁が、前記ノズル筒部の後端開口部よりも上方の位置にあってもよい。
この発明では、内容物を吐出させるときに、弾性部材の上端部がノズル筒部の後端開口部に引っかかることを抑制し、ポンプの動作がより安定する。
【００１１】
また、本発明の吐出容器では、前記弾性部材が、筒状をなしており、前記押下ヘッドの頂壁部には、前記弾性部材の内側に進入する案内部が下方に向けて突設されてもよい。
この発明では、内容物を吐出させるときに、弾性部材が傾くことを抑えつつ弾性部材を上下移動させることができ、ポンプの動作がより安定する。
【発明の効果】
【００１２】
この発明に係る吐出容器によれば、上部弁体がステムの内周面または押下ヘッドの内面に付着したままとなることを抑制し、上部弁体を確実に着座させることができる。また、押下ヘッドの押下当初において上部弁体が弁座部から上方に離反しにくくなることを防止し、押下ヘッドを押し下げたときに吐出孔を通して内容物をより確実に吐出させることができる。
【図面の簡単な説明】
【００１３】
【図１】本発明の一実施形態における吐出容器を示す軸方向断面図である。
【図２】図１の吐出容器の使用状態を示す部分拡大図である。
【図３】図１の吐出容器の使用状態を示す部分拡大図である。
【図４】上部コイルバネが設けられていない吐出容器の使用状態を示す部分拡大図である。
【図５】図１の吐出容器の使用状態を示す部分拡大図である。
【発明を実施するための形態】
【００１４】
以下、本発明による吐出容器の一実施形態を、図面に基づいて説明する。なお、以下の説明に用いる各図面では、各部材を認識可能とするために縮尺を適宜変更している。
本実施形態に係る吐出容器１は、図１に示すように、内容物が収容された容器本体２と、容器本体２の口部３に装着されたポンプ４と、ポンプ４を容器本体２の口部３に装着させる円筒状の装着キャップ５と、を備えている。
【００１５】
これら口部３及び装着キャップ５は、それぞれの中心軸線を共通軸上に位置した状態で配設されている。以下、この共通軸を容器軸Ｏと称し、図１において容器軸Ｏに沿うポンプ４の後述する押下ヘッド１６側を上側、その反対側を下側とし、容器軸Ｏから見た平面視で容器軸Ｏに直交する方向を径方向、容器軸Ｏ回りで周回する方向を周方向と称する。また、径方向において後述するノズル筒部６５のうち吐出孔１６Ａが形成された先端側を前側、ノズル筒部６５の基端側を後側と称する。
【００１６】
容器本体２は、内容物の減少に伴って減容変形する可撓性を有する袋状のパウチ１１と、パウチ１１の上端縁に固定され、外周面に雄ネジ部が形成された口部３が設けられたスパウト１２と、を備える。
ポンプ４は、上方付勢状態で下方移動自在に支持された後述する円筒状のステム２１を有するポンプ本体１５と、ステム２１の上端に装着され、内容物の吐出孔１６Ａが形成された押下ヘッド１６と、を有する。
【００１７】
ポンプ本体１５は、ステム２１と、装着キャップ５によって容器本体２の口部３内に挿入された状態で保持され、内側にステム２１が上方に向けて立設された円筒状のシリンダ２２と、ステム２１に連係すると共にシリンダ２２内に上下摺動自在に嵌合された円筒状のピストン２３と、を有する。これらステム２１、シリンダ２２及びピストン２３は、容器軸Ｏと同軸に配設されている。
また、ポンプ本体１５は、ステム２１内に配設され、ステム２１の上端開口部を開閉する上部弁体２４と、ステム２１内に配設され、上部弁体２４を下方に付勢可能な弾性部材（本実施形態では上部コイルバネ）２５と、シリンダ２２内に配設され、シリンダ２２の下端開口部を開閉する下部弁体２６と、ステム２１を上方に向けて付勢する下部コイルバネ２７と、を有する。
【００１８】
ステム２１は、下端がピストン２３に連結された円筒状の大径部３１と、大径部３１の上端に平面視で円環状のステム連結段部３２を介して連設された円筒状の小径部３３と、を有する。これら大径部３１、ステム連結段部３２及び小径部３３は、容器軸Ｏと同軸に配設されている。
大径部３１の外径は、ピストン２３の内径よりも小径であり、大径部３１の下端は、ピストン２３の上下方向の中間部に径方向内側から連結されている。
小径部３３は、大径部３１よりも小径となっている。
ステム連結段部３２には、上部弁体２４が離反可能に着座する上部弁座部３４が設けられている。上部弁座部３４は、径方向内側に向かうにしたがって漸次下方に向けて延在する平面視で円環状に形成されている。
【００１９】
シリンダ２２は、内側にピストン２３が上下摺動自在に配設された円筒状の直筒部４１と、直筒部４１の下端から下方に向けて延設された円筒状の吸込筒部４２と、を有する。これら直筒部４１及び吸込筒部４２は、容器軸Ｏと同軸に配設されている。
直筒部４１の上端部には、径方向外側に向けて突出する平面視で円環状のフランジ部４３が直筒部４１の全周にわたって形成されている。フランジ部４３には、下方に向けて延在して容器本体２の口部３の内側に例えば液密にまたは気密に嵌合する円筒状のシール筒部４４が形成されている。
また、直筒部４１の下端には、径方向内側に向けて突設された平面視で円環状の下部弁座部４５が形成されている。ステム２１及びシリンダ２２の各内部のうち下部弁座部４５と上部弁座部３４との間は、ステム２１の小径部３３及び大径部３１、ピストン２３並びにシリンダの直筒部４１の各内部にわたって延在し、内容物が収容される収容室Ｒとなっている。
【００２０】
ピストン２３は、ステム２１と一体に形成されている。また、ピストン２３の上端部は、上方に向かうにしたがって漸次拡径し、ピストン２３の下端部は、下方に向かうにしたがって漸次拡径している。そして、ピストン２３の上端部及び下端部は、シリンダ２２の直筒部４１の内周面に全周にわたって例えば液密に摺接している。
【００２１】
上部弁体２４は、本実施形態では球状をなすボール弁であり、ステム２１に形成された上部弁座部３４の上面に着座して上部弁座部３４を閉塞する。そして、上部弁体２４は、シリンダ２２内の加圧時に上部弁座部３４から離反してシリンダ２２内と吐出孔１６Ａとを連通させ、シリンダ２２内の減圧時に上部弁座部３４に着座してシリンダ２２内と吐出孔１６Ａとの連通を遮断する逆止弁として機能する。
上部コイルバネ２５は、上部弁体２４上に容器軸Ｏと同軸に配設されており、上部コイルバネ２５の上端縁は、押下ヘッド１６の後述する本体筒部６１の頂壁部６２の内面から離間している。これにより、上部コイルバネ２５は、上下移動自在となっている。
【００２２】
下部弁体２６は、シリンダ２２内の加圧時に下部弁座部４５の上面に着座してシリンダ２２の下端開口部を閉塞した状態に維持し、シリンダ２２内の減圧時に下部弁座部４５から離反してシリンダ２２の下端開口部を開放する逆止弁として機能する。これにより、シリンダ２２内の加圧時に、収容室Ｒ内の内容物は、シリンダ２２の下端開口部を通して容器本体２内に戻ることが規制され、シリンダ２２内の減圧時に、容器本体２内の内容物は、シリンダ２２の下端開口部を通して収容室Ｒ内に流入することができる。
【００２３】
下部弁体２６は、直筒部４１の下端に設けられた下部弁座部４５を開閉する円板状の弁体部５１と、内部に弁体部５１が配設されていると共に直筒部４１の下端部の内周面に嵌合された平面視で円環状の下環状部５２と、下環状部５２と上下方向に間隔をあけて配設された有底円筒状の上筒部５３と、下環状部５２と上筒部５３とを連結する連結部５４と、を有する。これら弁体部５１、下環状部５２及び上筒部５３は、容器軸Ｏと同軸に配設されている。
【００２４】
弁体部５１は、下部弁座部４５に離反可能に着座して下部弁座部４５を閉塞する。弁体部５１の外周面と下環状部５２の内周面とは、周方向に間隔をあけて複数設けられた弾性連結片部５５によって連結されている。
上筒部５３は、下環状部５２よりも小径とされており、下部コイルバネ２７の内側に配設されている。
【００２５】
連結部５４は、容器軸Ｏを径方向で挟む両側に一対配設されている。連結部５４は、下環状部５２の上端に立設された下縦壁部５６と、下縦壁部５６の上端から径方向内側に向けて突設された横壁部５７と、横壁部５７の径方向内端から上方に向けて立設されて上筒部５３の下端に連なる上縦壁部５８と、を有する。下縦壁部５６及び上縦壁部５８は、周方向に沿って湾曲している。また、一対の上縦壁部５８同士の間には、容器軸Ｏ上に配設され、上下方向に延在する仕切壁部５９が配設されている。
これにより、吸込筒部４２を通して直筒部４１に流入した内容物は、一対の連結部５４間の空間を通って直筒部４１のうち下部弁体２６よりも上方に流入できる。
【００２６】
下部コイルバネ２７は、ピストン２３の径方向内縁部と下部弁体２６の横壁部５７の上面との間に容器軸Ｏと同軸に配設されており、ステム２１を常時上方付勢している。
【００２７】
押下ヘッド１６は、有頂円筒状の本体筒部６１と、本体筒部６１の頂壁部６２から下方に向けて延設された円筒状の装着筒部６３及び取付筒部６４と、本体筒部６１から径方向外側に向けて突出すると共に内部が取付筒部６４内に連通し、前端に吐出孔１６Ａが形成された円筒状のノズル筒部６５と、を有する。これら本体筒部６１、装着筒部６３及び取付筒部６４は、容器軸Ｏと同軸に配設されている。
【００２８】
本体筒部６１の頂壁部６２には、容器軸Ｏと同軸に配設され、上部コイルバネ２５内に進入する案内部（本実施形態では案内軸部）６６が下方に向けて突設されている。案内軸部６６の下端は、上下方向で、ノズル筒部６５の後端開口部の下縁よりも下方の位置にある。これにより、内容物を吐出させる際に、上部コイルバネ２５の上下移動を案内すると共に、上部コイルバネ２５が傾くことを抑制する。
【００２９】
装着筒部６３は、取付筒部６４よりも径方向外側に配設され、本体筒部６１の下端よりも下方に向けて延びている。また、装着筒部６３の下端部の内周面には、雌ネジ部が形成されている。
取付筒部６４は、装着筒部６３の下端よりも下方に向けて延びており、ステム２１の小径部３３に外嵌している。また、取付筒部６４の下端は、ステム連結段部３２の上面に当接または近接している。
【００３０】
ノズル筒部６５の後端開口部は、上部コイルバネ２５に対して前後方向で対向している。また、上部コイルバネ２５の上端は、上下方向で、ノズル筒部６５の後端開口部の上縁よりも若干上方の位置にある。これにより、内容物を吐出させる際に、上部コイルバネ２５の上端部がノズル筒部６５の後端開口部に引っかかることを抑制する。
なお、上部コイルバネ２５の上端は、ノズル筒部６５の後端開口部に前後方向で対向していれば、上下方向で、ノズル筒部６５の後端開口部の上縁と同等の位置または下方の位置にあってもよい。
【００３１】
装着キャップ５は、容器本体２の口部３に装着される円筒状の外筒部７１と、外筒部７１の上端に平面視で円環状の第１キャップ連結段部７２を介して連設された円筒状の中間筒部７３と、中間筒部７３の上端に平面視で円環状の第２キャップ連結段部７４を介して連設された円筒状の内筒部７５と、を有する。これら外筒部７１、第１キャップ連結段部７２、中間筒部７３、第２キャップ連結段部７４及び内筒部７５は、容器軸Ｏと同軸に配設されている。
【００３２】
外筒部７１の内周面には、雌ネジ部が形成されており、容器本体２の口部３に螺着されている。
中間筒部７３は、外筒部７１よりも小径とされており、シリンダ２２の直筒部４１のうちフランジ部４３よりも上方に突出している上端部を径方向外側から囲む。また、中間筒部７３は、容器本体２の口部３と共にシリンダ２２のフランジ部４３を上下方向で挟む。
【００３３】
内筒部７５は、中間筒部７３よりも小径とされており、内筒部７５のうち第２キャップ連結段部７４よりも上方に突出する上端部の外周面には、押下ヘッド１６の本体筒部６１に形成された雌ネジ部と螺着可能な雄ネジ部が形成されている。この雄ネジ部は、押下ヘッド１６を押し下げたときに、押下ヘッド１６の装着筒部６３に形成された雌ネジ部に当接することにより、押下ヘッド１６の下方への移動を規制する。なお、内筒部７５ではなく第２キャップ連結段部７４の上面によって押下ヘッド１６の下方への移動を規制してもよい。
また、内筒部７５のうち第２キャップ連結段部７４よりも下方に突出する部分は、シリンダ２２の直筒部４１の内側に進入している。そして、内筒部７５の下端は、ピストン２３の上端に当接または近接しており、ピストン２３の上方への移動を規制する。
【００３４】
次に、以上のような構成の吐出容器１の使用方法について説明する。
まず、押下ヘッド１６を押下して、ステム２１と共に下降させる。ピストン２３は、ステム２１の下降に伴って、下部コイルバネ２７の付勢力に抗しながらシリンダ２２の直筒部４１の内周面に沿って下降する。これにより、図２に示すように、収容室Ｒ内の圧力が上昇し、上部弁体２４が上部弁座部３４から離反して上部弁座部３４が開放される。なお、吐出容器１の未使用時において、上部コイルバネ２５は、上部弁体２４上に容器軸Ｏと同軸に載置されているだけである。上部弁座部３４から離反した上部弁体２４は、押下ヘッド１６の押し込み当初において、上部コイルバネ２５と共に上昇し、上部コイルバネ２５の上端が押下ヘッド１６の頂壁部６２に当接した後に、上部コイルバネ２５の付勢力に抗しながらさらに上昇する。
【００３５】
上部弁座部３４が開放されると、収容室Ｒ内の内容物は、ステム２１の小径部３３、押下ヘッドの取付筒部６４及びノズル筒部６５の内部を順次流通し、吐出孔１６Ａに達する。これにより、内容物は、吐出孔１６Ａを通じて外部に吐出される。
収容室Ｒ内の内容物が吐出孔１６Ａを通じて外部に吐出されるにしたがって、収容室Ｒ内の圧力が低下するので、上部弁体２４は、下降して上部弁座部３４に着座し、上部弁座部３４を閉塞する。ここで、上部コイルバネ２５の下方付勢力（弾性復元力）によって、上部弁体２４の下降が補助されるので、上部弁体２４は、上部弁座部３４に確実に着座する。上部コイルバネ２５は、復元変形した後、上部弁体２４と共に下降する。これにより、上部コイルバネ２５の上端と頂壁部６２の内面との間には、再び間隙が形成される。
【００３６】
そして、押下ヘッド１６の押下を解除すると、下部コイルバネ２７の上方付勢力（弾性復元力）によって、ピストン２３、ステム２１及び押下ヘッド１６が上方に復元移動する。そのため、ピストン２３は、シリンダ２２の直筒部４１の内周面に沿って上方に摺動する。これにより、収容室Ｒ内の圧力が低下し、下部弁体２６の弁体部５１に連結された弾性連結片部５５が弾性変形する。そして、弁体部５１が下部弁座部４５から離反して下部弁座部４５が開放され、容器本体２内の内容物は、吸込筒部４２及び下部弁座部４５の各内部を流通し、収容室Ｒ内に流入する。そして、ステム２１及びピストン２３が上昇してピストン２３のシリンダ２２に対する上方に向けた摺動が停止すると、弁体部５１は、下部弁座部４５に着座し、下部弁座部４５を閉塞する。これにより、次回の押下ヘッド１６の押下による吐出操作に備える。
【００３７】
ここで、容器本体２内に内容物が十分に残存している場合には、押下ヘッド１６の押し込みの解除に伴うサックバックがあるものの、ノズル筒部６５及びステム２１の各内部には、内容物が満たされている。そのため、上部弁体２４は、上部コイルバネ２５の下方付勢力の補助がない場合であっても、上部弁座部３４に着座する。
しかし、容器本体２内の内容物を吐出していくにしたがって、可撓性を有する容器本体２は、図３に示すように、減容変形する。また、容器本体２が減容変形していくと、押下ヘッド１６の押下を解除して収容室Ｒ内に内容物を充填するときに、ヘッドスペースＨ内の空気が内容物と共に収容室Ｒ内に流入することがある。この状態で押下ヘッド１６を押下すると、収容室Ｒ内の内容物及び空気は、ステム２１の小径部３３、押下ヘッドの取付筒部６４及びノズル筒部６５の内部を順次流通し、吐出孔１６Ａに達して、吐出孔１６Ａを通じて外部に吐出される。このとき、ノズル筒部６５及びステム２１の各内部には、内容物が満たされておらず、ノズル筒部６５及びステム２１の各内面には、内容物が膜状に付着している。
そのため、上部コイルバネ２５が配設されていない場合には、図４に示すように、上部弁体２４がステム２１の内周面に残存している内容物によってステム２１の内周面に付着し、上部弁座部３４に着座しないことがある。
【００３８】
一方、本実施形態にかかる吐出容器１では、上述のように、上部コイルバネ２５が配設されており、上部コイルバネ２５の下方付勢力によって、上部弁体２４の下降を補助している。そのため、図５に示すように、ノズル筒部６５及びステム２１の各内面に内容物が膜状に付着していても、上部弁体２４は、ノズル筒部６５またはステム２１の内側に付着したままとならず、下方へ変位して上部弁座部３４に着座する。
以上のようにして、内容物を吐出する。
【００３９】
以上、本実施形態に係る吐出容器１によれば、上部弁体２４がステム２１の内周面または押下ヘッド１６の本体筒部６１の内面に付着したままとなることを抑制し、容器本体２内の内容物が減少しても、上部弁体２４を確実に上部弁座部３４に着座させることができる。
また、押下ヘッド１６を押し下げる当初において上部コイルバネ２５が上部弁体２４と共に上昇し、上部弁体２４が上部弁座部３４から容易に上方に離反するので、押下ヘッド１６を押し下げたときに吐出孔１６Ａを通して内容物をより確実に吐出させることができる。
【００４０】
ここで、本体筒部６１の頂壁部６２に案内軸部６６が設けられているので、内容物を吐出させる際に、上部コイルバネ２５の上下移動を案内して上部コイルバネ２５が傾くことを抑制できる。また、上部コイルバネ２５の上端縁が、上下方向で、ノズル筒部６５の後端開口部の上縁よりも若干上方の位置にあるので、内容物を吐出させる際に、上部コイルバネ２５がノズル筒部６５の後端開口部に引っかかることを抑制できる。これにより、ポンプ４の動作がより安定する。
【００４１】
なお、本発明は上記実施形態に限定されるものではなく、本発明の趣旨を逸脱しない範囲において種々の変更を加えることができる。
例えば、容器本体は、内容物の減少に伴って減容変形するものであれば、パウチ容器に限らず、デラミ容器など、他の容器であってもよい。
ポンプは、別体の装着キャップを用いて容器本体に装着されているが、装着キャップをポンプと一体としてもよい。
ステムは、下部コイルバネによって常時上方付勢されているが、コイルバネ以外の他の付勢部材によって上方付勢されてもよい。
ピストンは、ステムと一体に形成されているが、別体とされてもよい。
上部コイルバネは、コイルバネに限らず、例えば螺旋状に緩やかに巻回した複数本のワイヤを組み合わせたバネや蛇腹状に折り曲げた板バネなど、金属製や樹脂製などの他の構造を有する弾性部材であってもよく、弾性部材は、筒状以外の他の形状を有してもよい。
上部コイルバネ、上部弁体及び押下ヘッドの内面の上下方向の配置に関して、上部コイルバネの上端部と押下ヘッドの内面との間に上下方向の間隙が設けられているが、上部コイルバネの下端部と上部弁体との間に上下方向の間隙が設けられていてもよい。ここで、上部コイルバネの下端部と上部弁体との間に上下方向の間隙が設けられている場合には、上部コイルバネの上端を押下ヘッドの頂壁部に固定してもよく、押下ヘッドと一体に形成してもよい。
上部弁体は、ボール弁であるが、シリンダ内と吐出孔との連通及びその遮断を切り替えることができれば、ボール弁以外の他の弁によって形成されてもよい。
本体筒部の頂壁部には、案内軸部が設けられているが、案内部の構造は案内軸部に限らず、案内部を設けなくてもよい。
【産業上の利用可能性】
【００４２】
この発明によれば、上部弁体がステムの内周面または押下ヘッドの内面に付着したままとなることを抑制し、上部弁体を確実に着座させることが可能な吐出容器に関して、産業上の利用可能性が認められる。
【符号の説明】
【００４３】
１  吐出容器、２  容器本体、３  口部、４  ポンプ、１６  押下ヘッド、１６Ａ  吐出孔、２１  ステム、２２  シリンダ、２３  ピストン、２４  上部弁体、２５  上部コイルバネ（弾性部材）、２６  下部弁体、６５  ノズル筒部、６６  案内軸部（案内部）
【図１】
2018047934.tif 000003
【図２】
2018047934.tif 000004
【図３】
2018047934.tif 000005
【図４】
2018047934.tif 000006
【図５】
2018047934.tif 000007